(57)【要約】      （修正有）【課題】皮膚に刺激を与えて、髭を起こすことで、容易に深剃りが可能で、しかも皮膚の状態を良好にすることが可能な髭剃り装置。【解決手段】電動マッサージ兼髭剃り装置１は、髭剃りを行うための電動刃部１０と、皮膚をマッサージするための電動マッサージ部２０と、を備え、電動マッサージ部２０により皮膚をマッサージしながら電動刃部１０により髭剃りを行う。【選択図】図１
2018033777.tif 000002
【特許請求の範囲】
【請求項１】
髭剃りを行うための電動刃部と、
皮膚をマッサージするための電動マッサージ部と、を備え、
前記電動マッサージ部により皮膚をマッサージしながら前記電動刃部により髭剃りを行うことを特徴とする電動マッサージ兼髭剃り装置。
【請求項２】
前記電動刃部を駆動する刃駆動部と、
前記電動マッサージ部を駆動するマッサージ駆動部と、
前記刃駆動部と前記マッサージ駆動部を制御する制御部と、を備え、
前記制御部は、操作指令に基づき制御し、
前記刃駆動部と前記マッサージ駆動部を同時に駆動し、
または、前記刃駆動部または前記マッサージ駆動部のいずれかを駆動することを特徴とする請求項１に記載の電動マッサージ兼髭剃り装置。
【発明の詳細な説明】
【技術分野】
【０００１】
この発明は、皮膚をマッサージしながら髭剃りを行う電動マッサージ兼髭剃り装置に関するものである。
【背景技術】
【０００２】
従来より、電動髭剃り装置は、髭などの剃毛に使用され、駆動機構を内蔵して合成樹脂などにより形成された握持部と、この握持部の先端部に取り付けられた電動刃部を備え、この電動刃部により髭剃りを行うものがある（特許文献１）。
【先行技術文献】
【特許文献】
【０００３】
【特許文献１】特表２００９−５０８５４６号公報
【発明の概要】
【発明が解決しようとする課題】
【０００４】
このように電動刃部により髭剃りを行うものでは、髭が発毛方向に沿って生えており、深剃りすることができなかった。深剃りしたい場合は、髭の発毛方向に沿って剃毛する通常の使用状態とは逆に、電動刃部を上下逆にして、髭の発毛方向に逆らって剃毛する方法で使用されているが、使用者の感によって逆方向から剃るようにしており、面倒な使用であった。
【０００５】
この発明は、かかる点に鑑みてなされたもので、皮膚に刺激を与えて、髭を起こすことで、容易に深剃りが可能で、しかも皮膚の状態を良好にすることが可能な電動マッサージ兼髭剃り装置を提供することを目的とするものである。
【課題を解決するための手段】
【０００６】
前記課題を解決し、かつ目的を達成するために、この発明は、以下のように構成した。
【０００７】
請求項１に記載の発明は、髭剃りを行うための電動刃部と、
皮膚をマッサージするための電動マッサージ部と、を備え、
前記電動マッサージ部により皮膚をマッサージしながら前記電動刃部により髭剃りを行うことを特徴とする電動マッサージ兼髭剃り装置である。
【０００８】
請求項２に記載の発明は、前記電動刃部を駆動する刃駆動部と、
前記電動マッサージ部を駆動するマッサージ駆動部と、
前記刃駆動部と前記マッサージ駆動部を制御する制御部と、を備え、
前記制御部は、操作指令に基づき制御し、
前記刃駆動部と前記マッサージ駆動部を同時に駆動し、
または、前記刃駆動部または前記マッサージ駆動部のいずれかを駆動することを特徴とする請求項１に記載の電動マッサージ兼髭剃り装置である。
【発明の効果】
【０００９】
前記構成により、この発明は、以下のような効果を有する。
【００１０】
請求項１及び請求項２に記載の発明では、電動マッサージ部により皮膚をマッサージしながら電動刃部により髭剃りを行い、皮膚に刺激を与えて、髭を起こすことで、容易に深剃りが可能で、しかも皮膚の状態を良好にすることが可能である。
【図面の簡単な説明】
【００１１】
【図１】電動マッサージ兼髭剃り装置の斜視図である。
【図２】多角柱ローラーの斜視図である。
【図３】ヘッド部の断面図である。
【発明を実施するための形態】
【００１２】
以下、この発明の電動マッサージ兼髭剃り装置の実施の形態について説明する。この発明の実施の形態は、発明の最も好ましい形態を示すものであり、この発明はこれに限定されない。
【００１３】
（電動マッサージ兼髭剃り装置の構成）
この実施の形態の電動マッサージ兼髭剃り装置を、図１乃至図３に基づいて説明する。図１は電動マッサージ兼髭剃り装置の斜視図、図２は多角柱ローラーの斜視図、図３はヘッド部の断面図である。
【００１４】
この実施の形態の電動マッサージ兼髭剃り装置１は、髭剃りを行うための電動刃部１０と、皮膚をマッサージするための電動マッサージ部２０とを備え、電動マッサージ部２０により皮膚をマッサージしながら電動刃部１０により髭剃りを行うことができる構成である。
【００１５】
この電動刃部１０と電動マッサージ部２０は、オン／オフスイッチ２及び選択スイッチ３とともにハウジング４に配置されている。選択スイッチ３は、刃駆動部１０とマッサージ駆動部２０を同時に駆動し、または刃駆動部１０またはマッサージ駆動部２０のいずれかを駆動するためのスイッチである。
【００１６】
ハウジング４には、更に、電源及び電動モータを含み、電動刃部１０を駆動する刃駆動部１１と、電動マッサージ部２０を駆動するマッサージ駆動部２１と、刃駆動部１０とマッサージ駆動部２０を制御する制御部３０とを備える。制御部３０は、選択スイッチ３からの操作指令に基づき制御し、刃駆動部１０とマッサージ駆動部２０を同時に駆動し、または刃駆動部１０またはマッサージ駆動部２０のいずれかを駆動する。
【００１７】
電動刃部１０は、周知のように、外カッターを形成する髭剃りホイル１２と、このホイル１２の下で移動する複数のブレードを含む下カッター１３とを含む。電動マッサージ部２０は、周知のように、回転自在に保持されている多角柱ローラー２２を含む。
【００１８】
ヘッド部４０は、ヘッドカバー４１がハウジング４に着座した状態で、電動刃部１０及び電動マッサージ部２０の両方が、ヘッドカバー４１に形成された概して環状の周囲係合面４２を越えて上方に突出する。ヘッドカバー４１の前端には、ヘッドカバー４１を取り付けた後でも選択スイッチ３にアクセスでき且つ作動できるように、選択スイッチ３用の切欠き４３が設けられている。
【００１９】
（電動マッサージ兼髭剃り装置の作動）
この実施の形態の電動マッサージ兼髭剃り装置１は、選択スイッチ３を同時３ａにセットし、処理がなされるべき皮膚の表面と接触させ、皮膚に沿って移動させると、電動マッサージ部２０の多角柱ローラー２２が回転することで皮膚に刺激を与えて、髭を起こす。この髭を、電動刃部１０のホイル１２と下カッター１３によって剃ることで、容易に深剃りが可能で、しかもマッサージによって皮膚の状態を良好にすることが可能である。
【００２０】
一方、選択スイッチ３を髭剃り３ｂにセットし、処理がなされるべき皮膚の表面と接触させ、皮膚に沿って移動させると、電動刃部１０のホイル１２と下カッター１３によって剃ることができる。また、選択スイッチ３をマッサージ３ｃにセットし、皮膚の表面と接触させ、皮膚に沿って移動させると、電動マッサージ部２０の多角柱ローラー２２が回転することで皮膚に刺激を与え、マッサージによって皮膚の状態を良好にすることが可能である。
【産業上の利用可能性】
【００２１】
この発明は、皮膚をマッサージしながら髭剃りを行う電動マッサージ兼髭剃り装置に適用可能であり、皮膚に刺激を与えて、髭を起こすことで、容易に深剃りが可能で、しかも皮膚の状態を良好にすることが可能である。
【符号の説明】
【００２２】
１  電動マッサージ兼髭剃り装置
２  オン／オフスイッチ
３  選択スイッチ
４  ハウジング
１０  電動刃部
１１  刃駆動部
１２  ホイル
１３  下カッター
２０  電動マッサージ部
２１  マッサージ駆動部
２２  多角柱ローラー
３０  制御部
４０  ヘッド部
４１  ヘッドカバー
４２  周囲係合面
４３  切欠き
【図１】
2018033777.tif 000003
【図２】
2018033777.tif 000004
【図３】
2018033777.tif 000005